(57)【要約】      （修正有）【課題】作業手順に沿って予めリールを順番に積み重ねて収容しておけば、作業者は一番下に位置するリールを取り出すだけで効率よくリールの装着作業を行うことができるリール収容ケースを提供する。【解決手段】テープ状の物品が巻装されたリールＲを底板３に積み重ねて収容するケースＣにおいて、リールの正面方向への移動を規制する前板７Ａ、７Ｂをケース正面に設けると共に、上記前板の下端を底板に対して間隙を開けて配することにより前板と底板との間にリールの引き出し口８を設け、ケース下端に対し底板を作業者の手先を差し入れ可能な程度な間隙６を開けて配すると共に、底板の前方に作業者の手先が通過可能な程度の大きさの切り欠き５を設ける。【選択図】図１
0003142380.tif 000002
【実用新案登録請求の範囲】
【請求項１】
テープ状の物品が巻装されたリールを底板に積み重ねて収容するケースにおいて、リールの正面方向への移動を規制する前板をケース正面に設けると共に、上記前板の下端を底板に対して間隙を開けて配することにより前板と底板との間にリールの引き出し口を設け、ケース下端に対し底板を作業者の手先を差し入れ可能な程度な間隙を開けて配すると共に、底板の前方に作業者の手先が通過可能な程度の大きさの切り欠きを設けたことを特徴とするリール収容ケース。
【請求項２】
前板の下端と底板との間隙をリール１個分の高さより高く、且つ２個分の高さより低い寸法に設定した請求項１記載のリール収容ケース。
【請求項３】
ケースの上端または下端に、積み重ねられるケースの下端縁または上端縁が嵌入可能な係合段部を設けることにより、複数のケースを積み重ね可能とした請求項１または２記載のリール収容ケース。
【考案の詳細な説明】
【技術分野】
【０００１】
この考案は、電子部品を搭載したテープ状の物品を巻装したリールを効率よく収容可能としたリール収容ケースに関する。
【背景技術】
【０００２】
例えば、ＴＡＢ（Ｔａｐｅ  Ａｕｔｏｍａｔｅｄ  Ｂｏｎｄｉｎｇ）テープやＣＯＦ（Ｃｈｉｐ  ｏｎ  Ｆｉｌｍ）テープなど、半導体チップなどの電子部品を搭載したテープが広く使用されており、これらはリールに巻装した状態で搬送、収容され、電子部品の実装装置に使用される。
【０００３】
この場合、電子部品の実装装置を使用して作業を行う工場においては、テープを巻装したリール( 以下、「リール」と称する。) はケースやトレーに水平に寝かせた状態で積み重ねられて収容され、作業者はそこから所望のリールを取り出して実装装置に装着する。
【０００４】
一方、この種のリールを上下に積み重ねないで、前後一対の受部間に落としこむことにより、垂直に立てた状態で横方向に並べて収容するリール収容ケースが提案されている（特許文献１）。
【０００５】
【特許文献１】特開平１１−２１０２１号公報
【考案の開示】
【考案が解決しようとする課題】
【０００６】
ところで、工場では通常多種類のリールを使用するので、それを収容する場合でも作業手順に沿って作業者が取り出しやすいような順番で予め収容することが好ましい。しかしながら、リールを水平に寝かせた状態で積み重ねて収容する従来技術の収容方法の場合は、積み重ねられたリール中の一番下のものを取り出すには、その上に積み重ねられた他のリールを一旦持ち上げなくてはならず、取り出しが面倒だった。そこで、いきおい一番上に積んだリールから取り出すことになってしまい、作業手順に沿ってリールを順番に収容する意味がなくなってしまうおそれがあった。
【０００７】
一方、リールを上下に積み重ねないで、垂直に立てた状態で横方向に並べて収容する特許文献１に記載のケースにおいては、リールを積み重ねないので取り出しに際して他のリールをいちいち持ち上げる必要はない。しかしながら、リールは前後一対の受部間に落としこまれることにより垂直に立てた状態が維持されるので、リールを取り出すにはそのリールを一旦上方に持ち上げなくてはならず、その場合に横に位置する他のリールが倒れ込むおそれもあった。また、任意のリールを取り出すことができることは、反面、作業者において勝手に任意の位置のリールを取り出せることを意味し、取り出しルールが徹底していない場合は、やはり作業手順に沿ってリールを順番に収容する意味がなくなってしまうおそれがあった。
【課題を解決するための手段】
【０００８】
この考案のリール収容ケースは、以上の従来技術の問題点に鑑みて創作されたものであり、テープ状の物品が巻装されたリールを底板に積み重ねて収容するケースにおいて、リールの正面方向への移動を規制する前板をケース正面に設けると共に、上記前板の下端を底板に対して間隙を開けて配することにより前板と底板との間にリールの引き出し口を設け、ケース下端に対し底板を作業者の手先を差し入れ可能な程度な間隙を開けて配すると共に、底板の前方に作業者の手先が通過可能な程度の大きさの切り欠きを設けたことを特徴とする。
【０００９】
なお、この考案のリール収容ケースにおいては、前板の下端と底板との間隙をリール１個分の高さより高く、且つ２個分の高さより低い寸法に設定することが好ましい。
【００１０】
さらに、ここでは第２考案として、前記の第１考案のリール収容ケースにおいて、ケースの上端または下端に、積み重ねられるケースの下端縁または上端縁が嵌入可能な係合段部を設けることにより、複数のケースを積み重ね可能としたリール収容ケースも開示する。
【考案の効果】
【００１１】
この考案によれば、作業者が一番下に位置するリールを引き出そうとした場合、それより上のリールはケース正面に設けられた前板により前方への移動が阻止されるので、リールを引き抜くだけで、ダルマ落とし式に一番下に位置するリールだけが引き出されることとなる。一方、作業者の手先を差し入れ可能な程度な間隙を開けて底板がケース下端に対し浮かせて配されると共に、底板の前方には作業者の手先が通過可能な程度の大きさの切り欠きが設けられるので、作業者はこの間隙に手を差し入れて切り欠き上に位置するリールを前方にたぐり寄せることができる。よって、単にリールをたぐり寄せて引き出すだけで、それ以外の何らの特別な手当てを要せず片手でリールを簡単に取り出すことができる。
【００１２】
以上の効果から、この考案によれば作業手順に沿って予めリールを順番に積み重ねて収容しておけば、作業者は一番下に位置するリールを取り出すだけで効率よくリールの装着作業を行うことができる。また、作業者は一番下に位置するリール以外は勝手に取り出すことができないので、作業手順に沿って収容されたリールの順番が乱されることがない。
【００１３】
また、第２考案によれば、ケース同士を上下方向に積み重ねることが可能となり、この場合、上段のケースの底板とケース下端との間隙は上段のケースのリールを取り出すための手の差し入れ代として機能すると共に、下段のケース内にリールを積み重ねるための挿入代としても機能することとなる。よって、ケース同士を積み重ねても下段のケースにも何らの支障なくリールを補充することが可能となり、リールの種類ごとにケース分けして積み重ねる収容方法も可能となる。
【考案を実施するための最良の形態】
【００１４】
以下、この考案のリール収容ケースの具体的実施例を添付図面に基づいて説明する。図１はこの考案のリール収容ケースＣの全体を示す斜視図である。このケースＣはリールＲを水平に寝かせた状態で積み重ねるための底板３の三方を背板２、左右の側板１Ａ、１Ｂで囲った基本構成を有し、正面には前板が設けられる。この前板は積み重ねられたリールＲの正面方向への移動を規制するためのものであり、この実施例においては中央を開放した状態で、側板１Ａ側の前板７Ａ、側板１Ｂ側の前板７Ｂとして設けられる。
【００１５】
そして、前記の前板７Ａ、７Ｂの下端は底板３に対して間隙を開けて配されることにより、前板と底板との間にリールＲの引き出し口８が構成される。この実施例においては、上記の間隙はリールＲの１個分の高さより高く、且つ２個分の高さより低い寸法に設定することにより、一番下に位置するリールＲのみが正面方向に引き抜き可能なように構成される（図２〜４参照）。
【００１６】
一方、前記の底板３はケースＣの下端１０に対し作業者の手先を差し入れ可能な程度な間隙６を開けて配されることにより、手先の挿入代が構成される。そして、底板３の前方には作業者の手先が通過可能な程度の大きさの切り欠き５が設けられる。
【００１７】
また、この実施例においては、ケースＣの上端周側に、積み重ねられるケースの下端縁１０が嵌入可能な係合段部９を設けることにより、複数のケースを積み重ね可能としている（図５参照）。なお、前記の係合段部はケースの下端に設けてもよいことは勿論である。
【００１８】
以上のケースＣはこの実施例では金属板により構成しているが、プラスチック等により成形してもよいことは勿論である。なお、ケースをプラスチックにより構成した場合は、収容されるリールの電子部品を静電気から保護するために帯電防止のための手当てが必要となる。
【００１９】
以上の構成よりなるこの考案のリール収容ケースにおいては、リールＲは水平に寝かせた状態でケースＣ内に積み重ねて収容される（図１〜２参照）。また、取り出しにあたっては、底板３の下方の間隙６から手先を挿入して、底板の切り欠き５から一番下のリールをたぐり寄せて前方に引き抜けば、前板７Ａ、７Ｂによりそれより上のリールの前方への移動が阻止された状態で、ダルマ落とし式に一番下に位置するリールだけが引き出される（図３〜４参照）。
【００２０】
また、ケースＣ同士を積み重ねた場合は、上段のケースＣの底板５とケース下端１０との間隙６は上段のケースのリールＲを取り出すための手の差し入れ代として機能すると共に、下段のケース内にリールを積み重ねて収容するための挿入代としても機能することとなる。
【図面の簡単な説明】
【００２１】
【図１】この考案のリール収容ケースの斜視図。
【図２】同上、使用状態の斜視図。
【図３】同上、使用状態の斜視図。
【図４】同上、使用状態の斜視図。
【図５】同上、積み重ねた状態の斜視図。
【符号の説明】
【００２２】
Ｒ        リール
Ｃ        ケース
３        底板
６        間隙
８        引き出し口
９        係合段部
【図１】
0003142380.tif 000003
【図２】
0003142380.tif 000004
【図３】
0003142380.tif 000005
【図４】
0003142380.tif 000006
【図５】
0003142380.tif 000007